(57)【要約】【課題】  強度を保持しながら簡単な構造で遮音性能を得ることができる防音扉を提供する。【解決手段】  本発明の防音扉１は、本体部材１１の下端面に、深さが４０ｍｍ以上の複数の孔１２が下端面の長手方向に沿って一定の距離離間して形成されている。【選択図】図１
2009299454.tif 000002
【特許請求の範囲】
【請求項１】
扉本体の下端面に、深さが４０ｍｍ以上の複数の孔が下端面の長手方向に沿って一定の距離離間して形成されていることを特徴とする防音扉。
【請求項２】
前記孔が、その深さが９０ｍｍ〜１６０ｍｍとなるように形成されていることを特徴とする請求項１記載の防音扉。
【請求項３】
前記孔の内面に、吸音材を設けたことを特徴とする請求項１又は２に記載の防音扉。
【請求項４】
前記孔の内面に、凹凸面を形成したことを特徴とする請求項１〜３のいずれか１項に記載の防音扉。
【発明の詳細な説明】
【技術分野】
【０００１】
本発明は、防音扉に関する。
【背景技術】
【０００２】
一般に、扉と床面との間には、数ミリ程度ではあるが隙間が存在しており、室内外の音は、この隙間を通過して外部、又は内部に漏れてしまっている。この音漏れを低減するために、例えば、扉の下部と床面との隙間を遮断するための弾性シールを設け、この弾性シールを昇降自在とするドアボトムの閉鎖装置が知られている（例えば、特許文献１参照）。しかしながら、かかる弾性シールを有する装置は、構成が複雑であり、また、隙間を完全にふさぐことができないため、十分に音漏れを防ぐことができなかった。
【０００３】
そこで、扉本体の下端面に溝を設けた扉が知られている（例えば、特許文献２参照）。この扉は、扉本体の下端面に溝を設けるという比較的簡単な構造であり、機械的な構造が不要である上、設計変更等の必要もなく、既存の扉に容易に適用することができる。
【先行技術文献】
【特許文献】
【０００４】
【特許文献１】特開２００３−１９３７６４号公報（第４図及び第５図）
【特許文献２】特開２００５−１５５１５５号公報（請求項１、第２図等）
【発明の概要】
【発明が解決しようとする課題】
【０００５】
しかしながら、特許文献２に記載された扉では、下端面に溝が設けられていることで扉の厚さ、材質によっては強度を保持することができない場合があるという問題がある。
【０００６】
そこで、本発明の課題は、上記従来技術の問題点に鑑み、強度を保持しながら簡単な構造で遮音性能を得ることができる防音扉を提供することにある。
【課題を解決するための手段】
【０００７】
本発明の防音扉は、本体の下端面に、深さが４０ｍｍ以上の複数の孔が下端面の長手方向に沿って一定の距離離間して形成されていることを特徴とする。
【０００８】
深さが４０ｍｍ以上の複数の孔が下端面の長手方向に沿って一定の距離離間して形成されていることで、孔に入射された音波を、孔の内壁で何回も反射せしめ分散させた後に孔から出射させることが可能であり、簡単な構造で遮音性能を得ることができる。
【０００９】
前記孔が、その深さが９０ｍｍ〜１６０ｍｍとなるように形成されていることが好ましい。この範囲であることで、より広い周波数帯域で遮音効果を得ることができる。
【００１０】
前記孔の内面には、吸音材を設けることが好ましく、また、凹凸面を形成することも好ましい。これらの内面構造とすることで、孔に入射した音を吸収・又は凹凸面で分散することができ、結果としてより高い遮音効果を得ることができる。
【発明の効果】
【００１１】
本発明によれば、扉の下部に孔を設けるという簡単な構造によって、扉の強度を保持しながら遮音性能を得ることができるという優れた効果を奏する。
【図面の簡単な説明】
【００１２】
【図１】本発明の第１の実施形態に係る防音扉の模式的正面図及び下面図である。
【図２】本発明の第１の実施形態に係る防音扉の模式的断面図である。
【図３】本発明の第２の実施形態に係る防音扉の模式的断面図である。
【図４】本発明の（ａ）第３及び（ｂ）第４の実施形態に係る防音扉の模式的要部断面図である。
【図５】防音扉の設置状態を示すための模式図である。
【図６】実施例をシミュレーション条件を説明するための模式図である。
【図７】実施例のシミュレーション条件を説明するための防音扉の模式的断面図である。
【図８】実施例のシミュレーション条件を説明するための防音扉の設置状態を示す模式図である。
【図９】周波数帯域毎のレベル差を示すシミュレーション結果を示すグラフである。
【図１０】レベル差の周波数特性のシミュレーション結果を示すグラフである。
【図１１】受音位置でのインパルス応答波形のシミュレーション結果を示すグラフである。
【発明を実施するための形態】
【００１３】
以下、本発明の防音扉を、図１〜図５を用いて説明する。なお、図１〜図５において、同一の構成要素には、同一の参照符号を付してある。
【００１４】
図１は、本発明の第１の実施形態に係る防音扉の模式的正面図及び下面図であり、図２は、図１のＡ−Ａエ線（図１参照）における模式的断面図である。図１に示すように、防音扉１は、扉本体を構成する本体部材１１からなる。本体部材１１は、下端面が床面と隙間を設けて設置されて前後方向に開閉するものである。本体部材１１の下端面には、孔１２が、本体部材１１の下端面の長手方向に沿って一列になるように一定の距離（例えば８ｍｍ）離間して複数形成されている。このように、列設された孔１２により、各孔１２に入射された音波を、孔１２の内壁で何回も反射せしめ分散させた後に孔１２から出射させることが可能であり、これにより扉下部を通過する音波を低減させている。即ち、簡単な構造で十分な遮音性能を得ることができる。かつ、一定の距離離間した孔１２を設けることで、本体部材１１が強度の低い材料からなる場合であっても強度を保つことが可能である。
【００１５】
孔１２について、以下具体的に説明する。孔１２は、その形状、大きさや深さは扉の大きさ等にあわせて適宜設定することができる。孔１２の開口の形状としては、略円形状、略楕円形状、多角形状などが挙げられる。孔１２の開口部の大きさは、１０〜３０ｍｍが好ましい。１０ｍｍより小さいと遮音性能を得ることができず、また、３０ｍｍより大きいと扉の強度を保持しにくい。従って、この範囲であることで、扉の強度を保持しながら優れた遮音性能を得ることができる。また、孔１２の深さは４０ｍｍ以上である。４０ｍｍより浅いと遮音性能を得ることができないからである。このように４０ｍｍ以上の深さの孔１２を設けることで、扉の強度を保持しながら優れた遮音性能を得ることができる。好ましくは孔１２の深さは４０ｍｍ以上１６０ｍｍ以下である。孔１２の深さが１６０ｍｍより深いと扉の強度を保持しにくい場合もあるからである。従って、この範囲であることで、扉の強度を十分に保持しながら、遮音性能を得ることができる。特に、孔１２の深さは９０〜１６０ｍｍがより好ましい。この範囲であれば、より広い波長領域において遮音性能を得ることができるからである。本実施形態では、孔１２の開口は略円形状であり、その直径が２０ｍｍ、孔１２の深さは９０ｍｍである。また、本実施形態においては孔１２は内径が深さ方向において一定であるように設けたが、一定でなくてもよい。
【００１６】
本発明の防音扉１を構成する本体部材１１は、木製のものであれば、孔１２を切削により形成しやすいが、扉の厚さ方向に直接音が振動して通過し難いものであれば、金属製のものでも、木製のものでもよい。
【００１７】
第１の実施形態においては、本体部材１１をそのまま防音扉１としているが、防音扉１の構造は、特に限定されない。例えば、本発明の第２の実施形態である防音扉の概略を示す模式的断面図である図３に示すように、この本体部材１１の表面に化粧合板等を接合し、これを防音扉２としてもよい。即ち、図３に示す防音扉２では、前述した防音扉１とは、複数の板材を積層した点が異なっており、本体部材１１の両側に積層板１３及び化粧板１４を積層している。かかる構成にすることで、孔１２を設けてもより十分な強度を得ることができる。この場合、防音扉１に用いる部材の材料は限定されず、桐などの一般木材及び集成材から構成する。また、防音扉２本体の四辺を人工合板等の補強部材で覆った構造でもよい。さらに、積層板の層数や、防音扉２本体の構造や材料等も特に限定されない。
【００１８】
以下、本発明の第３及び第４の実施形態を図４（ａ）及び（ｂ）に示す。図４（ａ）は本発明の第３の実施形態の防音扉の孔の内面構造を説明するための防音扉の模式的断面図であり、（ｂ）は、本発明の第４の実施形態の防音扉の孔の内面構造を説明するための防音扉の模式的断面図である。図４（ａ）に示す第３の実施形態の防音扉３では、図１に示した防音扉１とは、本体部材１１の孔１２の内面を吸音材１５で覆った点が異なる。本実施形態では、孔１２の内面に吸音材１５を用いたことで、音が吸音材１５で吸収され、遮音性能をさらに高めることができる。このような吸音材１５としては、例えば、ガラス繊維、フェルト、あるいはゴム、エラストマー、樹脂等が挙げられる。特に、防音性の高いゴムやエラストマー等が好ましい。また、本実施形態においては、孔１２の内面全体に吸音材１５を設けたが、例えば底部にのみ吸音材１５を設けてもよい。
【００１９】
第４の実施形態である図４（ｂ）に示す防音扉４では、図１に示した防音扉１とは、本体部材１１の孔１２の内面を凹凸面としても形成した点が異なっている。本実施形態では、孔１２の内面を凹凸面とすることで、音が孔１２で複雑に反射され、遮音性能をさらに高めることができる。このような凹凸面は、孔１２内部の表面形状を利用して形成することができる。例えば、本体部材１１の材料を木材とし、この木材を粗削り等して孔１２を形成すれば、その孔１２の内面が凹凸面となる。このように孔１２内部の表面形状を利用するほかに、孔１２の内面を所定の表面処理によって形成してもよい。さらに、孔１２の内面を凹凸面とし、その上から吸音材１５により被覆すれば、より遮音効果を高めることが可能である。
【００２０】
これらの本発明の第１〜第４の実施の形態で示した各防音扉１〜４は、壁面の所定の位置に設置される。図５は、防音扉の設置状態を示すための模式図である。図５に示すように、第１の実施形態の防音扉１は、壁面５の所定の位置に設けられた開口部である設置部５１に、床面５２に対して所定の距離Ｄ（例えば１５ｍｍ）離間した状態で蝶番５３等の前後方向に防音扉１を開閉自在に保持する保持部材により固定されて設置される。この場合に、防音扉１と床面５２との間を通過する騒音は、本体部材１１に設けられた孔１２により３ｄＢ以上遮音されるので、例えば、外の音が部屋の内部に伝わりにくい。また、防音扉１と床面５２との間には部材を設ける必要がなく、遮音性能を得ることができる。即ち、防音扉１と床面５２との間にはいかなる部材もなく、防音扉１の孔１２の開口と床面５２とは対向して開口全体を介して前記床面に開放された空間を有している。
【００２１】
このような防音扉１について、実施例を用いて詳細に説明する。
【実施例】
【００２２】
以下、波動音響シミュレーション手法を用いて、本体部材１１の下端面に孔１２を設けた防音扉１の遮音効果を各条件で導出した。
【００２３】
（１）シミュレーション方法
シミュレーションは、波動音響シミュレーション手法の一つである時間領域有限差分法（ＦＤＴＤ）法を用いた。シミュレーションは、（２）で述べるシミュレーション条件の他、音圧、粒子速度点の間隔は２５ｍｍ、算出時間間隔は０．００５ｍｓｅｃとし、解析時間４０ｍｓｅｃという条件で行った。
【００２４】
（２）シミュレーション条件
二室間において、扉の下部のみを音が通過し伝搬する状況を想定した。初めに、図６に示すような扉下部に何も加工しない通常の扉において、音波が伝搬してくるレベルを求めた。次に、図７（ａ）〜（ｉ）に示すように各本体部材１１の下面に異なるサイズの孔１２（孔１２の深さ：４０、９０、１６０ｍｍ、孔１２の直径１０、２０、３０ｍｍ）を設けた場合において、音波が伝搬するレベル（単位：ｄＢ）を求めた。
【００２５】
そして、両者のレベル差から、本体部材１１の下面に孔１２を設けた場合の遮音効果を算出した。即ち、マイナスのレベル差があれば、本体部材１１の下部に孔１２を設けることで遮音効果があることを示す。
【００２６】
想定した音場を図８に示す。二室間の伝搬経路は、扉下部の隙間のみとした。音源は、図８に示すように第一室にあると想定し、また、受音点が第二室にあると想定した。なお、これらの位置は室内のどこであっても結果にほとんど影響を及ぼさないものである。
【００２７】
（３）シミュレーション結果
図９（ａ）〜（ｉ）は、図７（ａ）〜（ｉ）に示す孔を設けた扉のオクターブバンド毎のレベル差を示すグラフであり、どの周波数帯に効果があるかを示しており、値がマイナスであるほど、レベル減衰があることを示す。図１０（ａ）〜（ｉ）は、図７（ａ）〜（ｉ）に示す孔を設けた扉のレベル差の周波数特性を示すグラフであり、どの周波数に効果があるかを示す。図１１（ａ）〜（ｉ）は、図７（ａ）〜（ｉ）に示す孔を設けた扉の受音位置のインパルス応答波形を示すグラフであり、音波の時間的変化を示すものである。
【００２８】
図９（ａ）〜（ｉ）によれば、周波数によっては若干レベルが上昇するものがあったとしても、それぞれ総合値（図中右端「ＯＡ値」）は、全てマイナスの値となり、孔を設けることによって総合的に音が減衰したことがわかった。また、図７（ａ）（ｄ）（ｇ）の孔１２の深さが４０ｍｍの場合には、孔１２の直径に関わらず周波数が１ｋＨｚの音波についてレベルが上昇したが、特に２ｋＨｚの音波についてはレベルが大幅に減少した。これら以外の場合、即ち孔の深さが９０〜１６０ｍｍである場合においては、ほぼ全ての周波数帯域において５ｄＢ以下ではあるがレベルが減少した。特に、図７（ｅ）孔の直径が２０ｍｍ、深さが９０ｍｍの場合には、全ての周波数においてレベルが減少し、最も好ましかった。
【００２９】
また、図１０（ａ）〜（ｉ）によれば、全ての場合において、１ｋＨｚ以上で減衰の効果があることが分かった。図１１（ａ）〜（ｉ）によれば、全ての場合において、孔を設けない扉に比べて音波の振幅が小さく、音が小さくなっていることが分かった。
【００３０】
以上の結果から、本体部材１１の下面に孔１２を設けることで、遮音効果があることが分かった。特に、実施形態１にかかる扉においては、最も遮音効果が高いことが分かった。
【符号の説明】
【００３１】
１〜４  防音扉
１１  本体部材
１２  孔
１３  積層板
１４  化粧板
１５  吸音材
【図１】
2009299454.tif 000003
【図２】
2009299454.tif 000004
【図３】
2009299454.tif 000005
【図４】
2009299454.tif 000006
【図５】
2009299454.tif 000007
【図６】
2009299454.tif 000008
【図７】
2009299454.tif 000009
【図８】
2009299454.tif 000010
【図９】
2009299454.tif 000011
【図１０】
2009299454.tif 000012
【図１１】
2009299454.tif 000013